(57)【要約】      （修正有）【課題】接着剤を必要としないで、折り方が簡単で強度が確保できる簡易容器を提供する。【解決手段】所定の大きさの用紙中央に所定面積の底面が形成され、当該底面を形成する４辺に対応して縁部が形成される。縁部が直交する部分であって、前記底面の隅部に対応する用紙の隅部には、中央の線を山折れ線として２つの折込片よりなる、扇状の折込代が形成される。前記扇の一方の端の谷折れ線の上端部は、当該折込片側にコ字状に、前記折込片が折り込まれたとき、係止片が突出するように切り込まれる。また、前記扇の他方の端の谷折れ線を挟んで隣接する折込片と縁部の上端に、前記他方の端の谷折れ線を跨いで、円環状の係止受け片が形成される。上記の形状の用紙の前記折込代を折り込むと、前記係止片が形成される容器の外側に突出するようになり、前記円環状の係止受け片を外側に折り返すと、当該係止受け片の内側の係止穴が前記係止片を係止する状態となる。【選択図】図１
2019014490.tif 000002
【特許請求の範囲】
【請求項１】
所定の大きさの用紙の中央部に形成された、食器の底面と、
当該底面の４辺に対応する縁部と、
前記縁部の直交部であるとともに、前記底面の隅部に対応する扇状であって、当該扇の中央の線を内側に山に折れ込むことによって、また、前記扇の両端の線を谷に折れ込むことによって形成される２つの折込片を重ねた折込代と、
前記扇の一方の端の線の上端コ字上に扇側に切り込んだ係止片と、
前記扇の他方の端の線を跨いで、当該他方の線を境に隣接する折込片と縁部の上端に円環状に平成された係止受け片とを備え
前記底面の４辺の４隅の折込代を折り込んで、容器状が形成された状態で、前記係止受け片を外側に折り返して前記円環の内側で、係止片を受け止める係止穴と
を備えたことを特徴とする簡易容器。
【発明の詳細な説明】
【技術分野】
【０００１】
本発明は折り畳み容器に関し、特に、非常用携帯食の食器として利用する折り畳み容器に関するものである。
【背景技術】
【０００２】
合成樹脂製の簡易容器は、駅の売店で販売する丼物や麺類の車内への持ち込み用、あるいは外食産業における持ち帰り用の食品容器として利用されている。従来この種の簡易食器としては、耐漏液性を容易に確保できることから発泡スチロールを利用して一体成型したもの、あるいは飲料用としてはＰＥＴが一般的に使用されている。
【０００３】
上記の発泡スチロールあるいはＰＥＴ製の簡易食器は焼却はできるが、ダイオキシンの処理等ができる焼却施設での焼却が望ましいことになる。
【０００４】
そこで、簡単に焼却ができる紙製の簡易食器が例えば実用新案登録３００１９０７号公報に開示されている。すなわち、一枚の用紙に折線を設けて底面に対して外広がりの方形の碗状体を形成するようになっている。
【先行技術文献】
【特許文献】
【０００５】
【特許文献１】実用新案登録３００１９０７号公報
【発明の概要】
【発明が解決しようとする課題】
【０００６】
地震、洪水等の自然災害が発生したときのための備蓄食品は、できるだけ嵩を低く、輸送あるいは、包装紙、食品容器等については食べた後の廃棄に手間のかからないようにする必要がある。ところが災害時であるので、食器自体が手元にない場合があり、簡単に組み立てができ、また廃棄しても環境上の問題が発生しない簡易食器も必要な場合がある。前記したように、発泡スチロール等の合成樹脂で成型された食器を用いることも考えられるが、成型されているので、嵩張ることになり、輸送に支障を来たすことになったり、あるいは上記したように使用後の処理に問題が生じる。
【０００７】
紙を用いた簡易食器として、上記した前記実用新案登録３００１９０７号に開示の簡易容器がある。この場合は、環境に負荷をかけずに焼却ができる利点があるが、折り方が複雑な上、接着剤を必要とし、例えば災害時の非常食用の食器としては難点がある。
【０００８】
本発明は接着剤を必要としないで、しかも折り方が簡単で強度が確保できる簡易容器を得ることを目的とするものである。
【課題を解決するための手段】
【０００９】
本発明は、以下に記述するように底面と、縁部と、所定の大きさの用紙の中央部に形成された、食器の底面と、縁部と、係止受け片と、係止受け片の内側の係止穴とを備える。
【００１０】
所定の大きさの用紙中央に所定面積の底面が形成され、当該底面を形成する４辺に対応して縁部が形成される。縁部が直交する部分であって、前記底面の隅部に対応する用紙の隅部には扇状の折込代が形成される。折込代は前記扇の中央の線を山折れ線として２つの折込片よりなり、扇の一方の端の谷折れ線の上端部は、当該折込片側にコ字状に、前記折込片が折り込まれたとき、係止片が突出するように切り込まれる。
【００１１】
また、前記扇の他方の端の谷折れ線を挟んで隣接する折込片と縁部の上端に、前記他方の端の谷折れ線を跨いで、円環状の係止受け片が形成される。
【００１２】
上記の形状の用紙の前記折込代を折り込むと、前記係止け片が形成される容器の外側に突出するようになり、前記円環状の係止受け片を外側に折り返すと、当該係止受け片の内側の係止穴が前記係止片を係止する状態となる。このように４隅で係止片と係止穴を契合させると、簡易容器を形成することになる。
【００１３】
上記のように形成された簡易容器の縁部に帯体を嵌め込むとさらに、強度を増すことができる。
【発明の効果】
【００１４】
本発明によると、簡単な折り方で、強度のある紙製の簡易食器が得られることになり、廃棄して燃焼しても環境負荷も小さく災害時の非常食用に容器として使用することができる。
【図面の簡単な説明】
【００１５】
【図１】本発明の簡易容器を形成する前の展開図である。
【図２】前記展開から容器を形成する手順を示す部分拡大図である。
【図３】前記展開から容器を形成する手順を示す部分拡大図である。
【図４】前記展開から容器を形成する手順を示す部分拡大図である。
【図５】本発明の簡易容器の補強に使用する帯体を示す図である。
【図６】本発明の簡易容器として出来上がった状態を示す図である。
【図７】本発明を折り畳んだ状態を示す図である。
【発明を実施するための形態】
【００１６】
図１は本発明の簡易容器の展開図を示すものである。以下の説明で、山折れ、谷折れは容器として形成されたときの、容器の内側から見た表現である。
【００１７】
所定の大きさの用紙の中央部に、食器の底面１０となる方形部分に沿って谷折れ線１１ａ〜１１ｄが設けられ、その周辺は、以下に説明するように食器として使用するときの、縁部２０ａ〜２０ｄとしての立ち上げ部となる。
【００１８】
前記谷折れ線１１ａ〜１１ｄの一方の方向の平行な２本の谷折れ線１１ａ、１１ｃは、そのままの方向で用紙の端まで延長され、収納時の折り畳み線となる（図７参照）。
【００１９】
前記各縁部２０ａ〜２０ｄの交差する部分であって、前記底面１０の各頂点１０ａ〜１０ｄ（以下頂点１０ａのみについて説明する）に対応する用紙の隅部には以下の折込代３０ａが形成される。
【００２０】
すなわち、谷折れ線１１ａ、１１ｂの延長線に挟まれた領域に、９０度以下で所定の角度で開いた２本の谷折れ線１２ａ、１３ａとその中間の山折れ線１４ａが形成される。このとき、前記底面１０の頂点１０ａから２方向に直角に延びる前記谷折れ線１１ａ、１１ｂの延長線に対して、前記２本の谷折れ線１２ａ、１３ａが同じ角度αをなすように設定される。
【００２１】
当該谷折れ線１２ａ、１３ａの谷折れ線１１ａ、１１ｂからの角度αは、食器として組み立てたときの縁部の立ち上げ角を決めることになる。この角αが０度（すなわち谷折れ線１１ａ〜１１ｄの延長線に沿った状態）では容器に形成したときの縁部の立ち上げ角が９０度になるので、食器としては使い辛い角度になる。９０度以下の適当な角度にすると、その点は緩和されることになる。
【００２２】
さらに、前記２本の谷折れ線１２ａ、１３ａの中間に前記頂点１０ａから用紙周端に伸びる山折れ線１４ａが設けられ、前記２本の谷折れ線１２ａ、１３ａとの間で、折込片１５ａ、１６ａが形成される。前記２本の谷折れ線１２ａ、１３ａの一方の側の山折れ線１３ａの外周端部は、当該山折れ線１３ａが形成する縁部２０ｂの側から、それに隣接する折込片１６ａの側にコ字状に切り込まれ、後に説明するように、食器容器として形成するときの係止片２４ａとなる。
【００２３】
更に、前記２本の谷折れ線１２ａ、１３ａの他方の谷折れ線１２ａの側には、当該谷折れ線１２ａを挟んで隣接する折込片１５ａと縁部２０ａの端部を跨ぐ半円環状の係止受け片２３ａが形成される。当該係止受け片２３ａは後に説明するように、容器として折り込んだときに、前記係止片２４ａに対して、当該係止受け片２３ａの内側の係止穴２５ａ（前記半円環状の係止受け片２３ａの内側の空洞部分）が嵌り込んで容器としての形状を維持するようになっている。
【００２４】
尚、前記折込代３０ａは、容器として折り込んだときに容器縁から突出しない程度に、外周が円に近い程度に切り取られた形状となっている。
【００２５】
以上頂点１０ａについてのみ説明したが、他の頂点１０ｂ、１０ｃ、１０ｄについても同様の構成とする。但し、前記係止片２４ａ、２４ｂが同じ縁部２０ｂ（２０ｄ）の両端に形成され、また、係止受け片２３ａ、２３ｂも縁部２０ａ（２０ｃ）に配置されることになる。
【００２６】
以上のように山および谷の折れ線が形成された型紙は以下のようにして容器として使用される。
【００２７】
まず、底面１０の周辺の谷折れ線１１ａ〜１１ｄに沿って、型紙の周辺部を内側に折り込む。このとき、一方の方向の２本の谷折れ線１１ａ、１１ｃに沿っての折込と、それに直角な方向の２本の谷折れ線１１ｂ、１１ｄに沿っての折込とは相互に干渉する。そこで、２つの縁部の直交する部分に形成される折込代３０ａが以下のように折り込まれて容器として形成される。すなわち、前記山折れ線１４ａを容器を形成したときの内側に折り込み、谷折れ線１２ａと１３ａとの間で折込片１５ａと１６ａが重なった折込代３０ａを形成する。当該折込代３０ａを前記係止片２４ａ側の縁部２０ｂに沿わせると、係止片２４ａは容器が形成されたときの外側に突出する。一方、係止受け片２３ａは直角に折れて、係止片２４ａに対応する位置となるとともに、外側に折り返すと、係止受け片２３ａの内側の円環２５ａが前記係止片２４ａに掛かかり、容器としての形状を保持できるようになっている。このようにして、四隅の係止片２４ａと円環２５ａを係止させて図５に示すように容器を形成する。
【００２８】
図５は、上記のように組み立てた簡易容器を補強するために縁部の周囲に嵌め込む帯体を示すものであある。閉じたときは（図５ａ）角部が盛り上がった状態で、広げると（図５ｂ）水平となる。図６は、この帯体４０を嵌めた状態の全体図を示すものである。尚、当該帯体４０で簡易容器の胴部を補強するとともに、底面の裏側にも薄いダンボール材５０を貼り付けて補強することも可能である。
【００２９】
更に、図７は用紙全体の平行に形成された谷折れ線１１ａ、１１ｃに沿って折り畳んだ状態を示すものである。このように折り畳むことによって、以下に説明する包装時の面積を小さくすることができる。
【００３０】
本発明にかかる簡易食品容器は食品と一緒に保管して、例えば、災害時に食器として組み立てて使用する。例えば、乾麺と一緒に包装した状態で自治体等で保管し、災害時に避難所等で包装を解いて前記食器を組み立て、乾麺を入れて水あるいは湯でほぐして食べることになる。ここで、容器が発泡スチロール等の合成樹脂で成型されているときには、嵩張ることはもちろん、災害時であるので、燃焼ごみとして捨てるにしても、燃焼による有害物質が処理できるゴミ焼却場が稼動していない場合がある。
【００３１】
この点、本願は紙によって組み立てることができるので、焼却したとしても有害物質はでないので、有害物質を処理できない焼却施設でも燃焼が可能となる。
【産業上の利用可能性】
【００３２】
以上説明したように、本発明は、簡単に組み立てることができ、また、焼却しても有害物質の発生の問題もない。更にコンパクトに折り畳めるので、災害時の非常食とともに包装して備蓄食料を食べるときの簡易食器として利用することができる。
【符号の説明】
【００３３】
１０・・底面
１１ａ〜１１ｄ・・谷折れ線
１２ａ〜１２ｄ、１３ａ〜１３ｄ・・谷折れ線
１４ａ〜１４ｄ・・山折れ線
１５ａ〜１５ｄ、１６ａ〜１６ｄ・・折込片
２０ａ〜２０ｄ・・縁部
２３ａ〜２３ｄ・・係止受け片
２４ａ〜２４d・・係止片
２５ａ〜２５ｄ・・係止穴
１０ａ〜１０ｄ・・頂点
３０ａ・・折込代
４０・・帯体
【図１】
2019014490.tif 000003
【図２】
2019014490.tif 000004
【図３】
2019014490.tif 000005
【図４】
2019014490.tif 000006
【図５】
2019014490.tif 000007
【図６】
2019014490.tif 000008
【図７】
2019014490.tif 000009